(57)【要約】【課題】締め付け作業を容易に行うことができるねじを提供する。【解決手段】ボルト１の頭部３の上面に形成された穴には、突出部５が形成されている。これにより、六角棒スパナを穴４に差し込むと、六角棒スパナが穴４内部の突出部５を押しつぶすことによって六角棒スパナが穴４の内壁面に挟着され、六角棒スパナからボルト１が脱落することを防ぐことができるので、結果として、ボルト１の締め付け作業を容易に行うことができる。【選択図】  図２
2015001231.tif 000002
【特許請求の範囲】
【請求項１】
ねじ溝を有する柱状の軸部と、
この軸部の一端に接続された頭部と、
この頭部の前記軸部と反対側に形成された穴と、
この穴の内部表面に形成された突出部と
を備えることを特徴とするねじ。
【請求項２】
請求項１記載のねじにおいて、
前記穴は、前記軸部の軸線に平行な内壁面を有し、
前記突出部は、前記内壁面上に形成される
ことを特徴とするねじ。
【請求項３】
請求項１または２記載のねじにおいて、
前記突出部は、樹脂からなる
ことを特徴とするねじ。
【発明の詳細な説明】
【技術分野】
【０００１】
本発明は、ねじに関するものである。
【背景技術】
【０００２】
ドライバーや六角棒スパナなどによるねじの締め付け作業は、ねじの頭部に設けられた穴にドライバーや六角棒スパナを嵌入させ、ねじを押さえつけながらドライバーや六角棒スパナを回転させ、ねじを螺入することにより行われる。このとき、ねじがある程度まで螺入して姿勢が安定するまでは、例えば指など何らかの手段によってねじを保持していなければ、ねじを締め付けることが困難な場合がある。このため、ドライバーや六角棒スパナがやっと入るような狭い場所や天井等の高所にねじを締め付けなければならないときは、無理な体勢での作業を強いられたり、両手で作業することができなかったり、ねじを螺入面に対して垂直に保持することができなかったりすることから、ねじが落下するなどしてねじの締め付け作業が困難なことがあった。
【０００３】
こうした問題を解決する為に、先端を磁化したドライバーや六角棒スパナが提案されている（例えば、特許文献１参照。）。このドライバーや六角棒スパナでは、ねじが磁石に吸着される材料からなる場合には、ねじの穴に嵌入された先端部によりねじを吸着保持できるので、容易に締め付け作業を行うことが可能となる。
【先行技術文献】
【特許文献】
【０００４】
【特許文献１】特開２０００−７９５７３号公報
【発明の概要】
【発明が解決しようとする課題】
【０００５】
しかしながら、ねじが磁石に吸着されない材料からなる場合には、先端を磁化したドライバーや六角棒スパナであってもねじを吸着保持できないので、ねじの締め付け作業が困難であった。
たとえねじが磁石に吸着される材料からなる場合であっても、狭い場所や天井等の高所などでは無理な体勢での作業が強いられるので、例えば、ドライバーを握るユーザの手が震えてドライバーの先端部が振動することがあり、このようなときにはねじを十分に保持できないので、ねじの締め付け作業が困難となっていた。
【０００６】
そこで、本発明は、締め付け作業を容易に行うことができるねじを提供することを目的とする。
【課題を解決するための手段】
【０００７】
上述したような課題を解決するために、本発明に係るねじは、ねじ溝を有する柱状の軸部と、この軸部の一端に接続された頭部と、この頭部の軸部と反対側に形成された穴と、この穴の内部表面に形成された突出部とを備えることを特徴とするものである。
【０００８】
上記ねじにおいて、穴は、軸部の軸線に平行な内壁面を有し、突出部は、内壁面上に形成されるようにしてもよい。
【０００９】
上記ねじにおいて、突出部は樹脂からなるようにしてもよい。
【発明の効果】
【００１０】
本発明によれば、工具を穴に差し込むと、工具が穴内部の突出部を押しつぶすことにより工具が穴により挟着され、工具からねじが脱落することを防ぐことができるので、結果として、ねじの締め付け作業を容易に行うことができる。
【図面の簡単な説明】
【００１１】
【図１】図１は、本発明の実施の形態に係るねじを模式的に示す正面図である。
【図２】図２は、図１の平面図である。
【図３】図３は、図２のI-I線断面図である。
【図４】図４は、図２のII-II線断面図である。
【図５】図５は、図２中の符号αの範囲における要部拡大図である。
【図６】図６は、図３中の符号βの範囲における要部拡大図である。
【発明を実施するための形態】
【００１２】
以下、図面を参照して、本発明の実施の形態について詳細に説明する。なお、本実施の形態では、ねじの一例として六角穴付ボルトに適用した場合を例に説明する。
【００１３】
図１，図２に示すように、本実施の形態に係るボルト１は六角穴付きボルトであり、円柱状の軸部２の周面には雄ねじが形成されている。また、軸部２の一端面には、円柱状の頭部の底面が接続されている。この頭部３の上面には、六角スパナが挿入される平面視六角形の穴４が形成されている。この穴４の各内壁面は、軸部２の軸線に対して平行となっている。
【００１４】
穴４の内部表面には、突出部５が形成されている。具体的には、穴４の対向する一対の内壁面上に、ボルト１の軸線に対して線対称に突出部５が形成されている。この突出部５は、図２〜図６に示すように、穴４の開口端から底部までボルト１の軸線方向に沿って延在する略三角柱状に形成されている。突出部５の穴４の開口側の端部は、穴４の開口端縁に向かって切り欠かれている。
【００１５】
このような構成を有するボルト１は例えば樹脂を射出成形にすることにより一体成形される。
【００１６】
本実施の形態に係るボルト１を締め付ける場合、ユーザは、端面の形状が穴４の断面形状に対応する六角棒スパナの先端を穴４に圧入する。このとき、突出部５の穴４の開口側の端部が穴４の開口端縁に向かって切り欠かれているので、六角棒スパナの先端は、円滑に穴４内部に導入される。そして、六角棒スパナの先端は、突出部５を押し潰しながら穴４内部を進行し、穴４の底部に到達する。
【００１７】
六角棒スパナの先端が穴４の底部に到達した状態において、押しつぶした突出部５と接している六角棒スパナの先端部は、押しつぶした突出部５から抗力を受け、吐出部５が形成された穴４の一対の内壁面に挟着された状態となる。したがって、ボルト１は、六角棒スパナから容易に脱落しない。これにより、六角棒スパナがやっと入るような狭い場所や天井等の高所においても、ボルト１が六角棒スパナに支持された状態を維持できるので、ボルト１を容易に締め付けることができる。
【００１８】
以上説明したように、本実施の形態によれば、六角棒スパナを穴４に差し込むと、六角棒スパナが穴４内部の突出部５を押しつぶすことにより六角棒スパナが穴４の内壁面に挟着され、六角棒スパナからボルト１が脱落することを防ぐことができるので、結果として、ボルト１の締め付け作業を容易に行うことができる。
【００１９】
なお、本実施の形態では六角穴付ボルトに適用した場合を例に説明したが、すりわり、十字穴、六角穴などの工具を差し込む穴が形成されていれば、各種ねじに適用することができる。
【００２０】
また、突出部の形状についても、本実施の形態のような三角柱状に限定されず、例えば、角柱、半円柱、円柱などの柱状、円錐や角錐などの錐状、円錐台や角錐台などの錐台状など各種形状を適宜自由に適用することができる。
また、突出部の材料についても、溝に工具を差し込んだときに工具に押しつぶされて、その工具が穴により挟着されて工具からねじが脱落しないようにできるのであれば、本実施の形態のような樹脂に限定されず、各種材料を用いることができる。
【００２１】
また、本実施の形態では、樹脂からできたボルトの場合を例に説明したが、ねじを構成する材料は磁気吸着されない材料に限定されず、磁気吸着される材料も用いることができる。
【００２２】
また、本実施の形態において、突出部は射出成形により形成される場合を例に説明したが、突出部の製造方法はこれに限定されない。例えば、有機樹脂からなる接着剤を溝内部に塗布することにより形成するようにしてもよい。
【産業上の利用可能性】
【００２３】
本発明は、工具を差し込む穴を有する各種ねじに適用することができる。
【符号の説明】
【００２４】
１…ボルト、２…軸部、３…頭部、４…穴、５…突出部。
【図１】
2015001231.tif 000003
【図２】
2015001231.tif 000004
【図３】
2015001231.tif 000005
【図４】
2015001231.tif 000006
【図５】
2015001231.tif 000007
【図６】
2015001231.tif 000008